(57)【特許請求の範囲】
【請求項１】
記録線速度の変更を行うとき、ディスクへの記録動作を中断させるとともに記録中断前にディスク記録された信号を再生させ、その再生された信号と記録信号が一時的に記憶されるバッファ用ＲＡＭに記憶されている信号とを比較し両者が同一信号であると判定された場合に記録動作を再開させるように構成されている光ディスク記録再生装置において、記録を再開させる前に再生される信号により記録特性を検出し、検出された記録特性の良否判定により記録再開時の記録線速度を設定するようにしたことを特徴とする記録制御方法。
【請求項２】
記録を再開させる前に再生される信号の記録特性の検出が記録線速度を変更せずに行われる場合、検出された記録特性に基づいて再生不可能な記録品位と判断されたとき、記録動作を終了させるようにしたことを特徴とする請求項１に記載の記録制御方法。
【請求項３】
記録を再開させる前に再生される信号により検出された記録特性データと前回の記録線速度変更時に検出された記録特性データとを比較し、記録特性の変化を検出することによって記録特性が良くなっているか否かを判定するようにしたことを特徴とする請求項１に記載の記録制御方法。
【発明の詳細な説明】
【０００１】
【発明の属する技術分野】
本発明は、光学式ピックアップに組み込まれているレーザー素子より照射される光ビームによってディスクに信号を記録するとともに光ビームによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップに組み込まれているレーザー素子より照射される光ビームによってディスクに信号を記録することが出来るように構成された光ディスク記録再生装置が商品化されている。
【０００３】
【発明が解決しようとする課題】
光ディスク記録再生装置では、ホスト機器であるコンピューター装置側からの記録命令に従って信号の記録動作を行うように構成されているが、斯かる記録動作はディスクに記録する信号を一旦バッファ用ＲＡＭに記憶させ、該バッファ用ＲＡＭに記憶されている信号を読み出すことによってディスクへ信号の記録動作を行うように構成されている。
【０００４】
ディスクへの信号の記録動作が正常に行われている状態では、コンピューター装置より出力される記録信号のバッファ用ＲＡＭへの書き込み動作及び該バッファ用ＲＡＭからの信号の読み出し動作、そして読み出された信号のディスクへの記録動作が記録信号の量やディスクへの記録状況に対応して行われる。
【０００５】
信号の記録動作を行っている状態において、バッファ用ＲＡＭに記憶されている記録信号の量が不足するとディスクへの信号の記録動作が行えない状態、所謂バッファアンダーランと呼ばれる状況になる。斯かる問題を解決する方法として、バッフア用ＲＡＭに記憶されている記録信号の量が所定値、即ち中断設定値以下になると、ディスクへの記録動作を一旦停止させ、バッフア用ＲＡＭに記憶されている記録信号の量が所定値、即ち再開設定値より多くなったとき、ディスクへの記録動作を再開させるようにした技術が開発されている。
【０００６】
バッファアンダーランの問題を解決する方法として記録中断動作及び記録再開動作を行う方法があるが、記録再開動作は、記録中断前にディスクに記録されている信号を再生し、その再生された信号に基づいて記録動作を再開させるように行われる。
【０００７】
光ディスク記録再生装置におけるディスクへの記録動作は、線速度一定の状態にて行われるが、ディスクを線速度一定の状態にて回転駆動する場合、ディスクの内周側の方が外周側よりもディスクの回転角速度が高速になる。従って、ディスクの内周側から外周側まで高速の同一の線速度一定にて回転駆動することは困難である。
【０００８】
斯かる問題を解決する方法としてディスクの内周側より外周側に記録位置が変位するに従って線速度を高速に変更するようにした技術が開発されている。
【０００９】
本発明は、斯かる線速度を変更する技術に適した光ディスク記録再生装置の記録制御方法を提供しようとするものである。
【００１０】
【作用】
本発明は、記録信号が一時的に記憶されるバッファ用ＲＡＭに記憶されている信号の量がディスクへの記録動作を行っているとき中断設定値以下になるとディスクへの記録動作を中断させるとともに該バッファ用ＲＡＭに記憶されている信号の量が再開設定値まで増加したとき中断前にディスク記録された信号を再生させ、その再生された信号に基づいて記録動作を再開させるように構成されている光ディスク記録再生装置において、記録を再開させる前に再生される信号により記録特性を検出するように構成されている。
【００１１】
【実施例】
図１は本発明に係る光ディスク記録再生装置の一実施例を示すブロック回路図である。同図において、１はスピンドルモーターＭによって回転駆動されるターンテーブル（図示せず）に載置されるディスクであり、該ターンテーブルの回転により回転駆動されるように構成されている。また。前記ディスク１には、位置情報データがウォブルと呼ばれる溝によって記録されており、この溝より得られるウォブル信号に基づいて信号の記録再生動作が行われるように構成されている。２はディスク１に光ビームを照射させるレーザー素子（図示せず）及び該レーザー素子より照射される光ビームのレベルをモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１２】
３は前記光学式ピックアップ２に組み込まれている光検出器から得られるＲＦ信号を増幅するとともに波形成形するＲＦ信号増幅回路、４は前記ＲＦ信号増幅回路３を介して得られる信号に基づいて前記光学式ピックアップ２より出力される光ビームをディスク１の信号面に合焦させるフォーカシング制御動作及び該光ビームを前記信号面の信号トラックに追従させるトラッキング制御動作を行うピックアップ制御回路であり、フォーカスサーボ回路及びトラッキングサーボ回路が組み込まれている。
【００１３】
５は前記ＲＦ信号増幅回路３より出力される信号のデジタル信号処理を行うとともに各種信号の復調動作を行うデジタル信号処理回路、６は前記デジタル信号処理回路５にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホスト機器として設けられているコンピューター装置７に出力する作用を成すものである。
【００１４】
８は前記デジタル信号処理回路５により復調された信号が入力されるとともに前記コンピューター装置７から出力される命令信号に応じて種々な制御動作を行うシステム制御回路である。９はテスト信号や情報信号等の記録信号が入力されるとともにその信号に対応させてレーザー駆動回路１０によるレーザーの照射動作を制御することによってデータ信号等を前記ディスク１に記録させる信号記録用回路である。
【００１５】
１１はディスク１に記録される信号が一旦記憶されるバッファ用ＲＡＭであり、前記コンピューター装置７より出力される信号が書き込まれるとともにシステム制御回路８の制御動作によって信号の記憶動作及び読み出し動作が制御されるように構成されている。そして、前記バッファ用ＲＡＭ１１へ記憶された信号は、ディスク１に記録するべく読み出された後も記憶保持された状態にあり、その後コンピューター装置７より出力される新しい信号がその位置に記憶されることによって順次上書き消去されるように構成されている。１２は前記システム制御回路８によって動作が制御されるスピンドルモーター駆動回路であり、ディスク１を回転駆動させるスピンドルモーターＭを記録再生動作を行うための速度にて回転駆動制御する作用を有している。
【００１６】
斯かる構成において、ディスク１への信号の記録動作時、バッファ用ＲＡＭ１１にはコンピューター装置７から出力される信号が記憶され、その記憶されている信号の読み出し動作を制御することによってディスク１への信号の記録動作を制御するように構成されている。そして、ディスク１への信号の記録動作が中断された後、再度記録動作を再開させる場合には、前記バッファ用ＲＡＭ１１に記憶保持されている信号とディスク１に中断前に記録された信号との比較動作を行い、中断前に記録されていた信号に連続して信号が記録されるように、即ちシームレスと呼ばれる方式にて信号が記録されるように構成されている。
【００１７】
また、ディスク１への信号の記録動作が行われている間、システム制御回路８内に設けられているメモリー回路に正常記録動作が行われた位置の最終アドレスが記憶されるように構成されている。記録動作時にバッフア用ＲＡＭに記憶されている記録信号の量が不足するバッファアンダーラン状態になり、記録動作が中断された場合には、前記メモリー回路に記憶されている最終アドレスに基づいて中断した位置より信号をシームレスにて記録動作を行うことが出来るように構成されている。
【００１８】
以上の如く、本発明に係る光ディスク記録再生装置は構成されているが、次に斯様に構成された回路における再生動作について説明する。コンピューター装置７よりドライブ装置を構成するシステム制御回路８に対して再生動作を行うための命令信号が出力されると、該システム制御回路８による再生動作のための制御動作が開始される。斯かる再生動作が行われる場合には、光学式ピックアップ２に組み込まれているレーザー素子には、信号の読み出し動作を行うためのレーザー出力が得られる駆動電流がレーザー駆動回路１０より供給されるように設定されている。
【００１９】
斯かる再生動作のための制御動作が開始されると、スピンドルモーター駆動回路１２によるスピンドルモーターＭの回転制御動作が行われるが、斯かるスピンドルモーターの回転制御動作は、ウォブル信号をデコードして得られる同期信号と基準信号生成回路（図示せず）より出力される基準信号とを比較することによりディスク１を線速度一定にて回転駆動するように行われる。斯かる制御動作は、後述する信号の記録動作時にも同様に行われる。
【００２０】
スピンドルモーターの回転制御動作は、以上の如く行われるが、信号の読み出し動作を行う光学式ピックアップ２では、フォーカシング制御動作及びトラッキング制御動作が開始されて該光学式ピックアップ２によるディスク１からの信号の読み出し動作が開始されるが、再生動作に先だってディスク１の最初のセッションを構成するリードイン領域に記録されているＴＯＣデータの読み出し動作が行われる。
【００２１】
ディスク１に記録されている最初のセッションの信号記録領域に記録されている信号の読み出し再生動作は、リードイン領域に記録されているＴＯＣデータに基づいて行われることになる。前記光学式ピックアップ２によって読み出された信号は、ＲＦ信号増幅回路３を通して増幅及び波形成形された後デジタル信号処理回路５に入力されて信号の復調動作が行われる。前記デジタル信号処理回路５により信号処理が行われて情報データが抽出されると、該情報データは誤り訂正等の信号処理が行われた後、信号再生用回路６に印加される。
【００２２】
そして、前記信号再生用回路６は、ディスク１から読み出された情報データがオーディオ信号である場合には、アナログ信号に変換した後増幅器等に出力し、コンピューターソフトのようなデータ信号の場合にはデジタル信号のままコンピューター装置７に出力することになる。
【００２３】
以上に説明したように本実施例における再生動作は行われるが、次にディスク１への信号の記録動作について説明する。
【００２４】
ディスク１に信号を記録する動作は、まずディスク１に設けられている試し書き領域にテスト信号を記録することによってディスク１の特性に最も適したレーザー出力を設定するための動作が行われる。斯かる設定動作は、レーザー出力を変化させながらテスト信号を記録するとともにその記録された信号を再生することにより行われる。
【００２５】
斯かるレーザー出力の設定動作が行われると、ディスク１のバッファと呼ばれる領域に記録されている情報データ、即ち信号記録領域に記録されている信号の位置情報等を読み出す動作が行われる。そして、このようにして読み出された情報データに基づいてディスク１に設けられている信号記録領域にデータ信号の記録動作が可能であるか、また、記録動作を行う位置は何処か等の認識動作が行われる。
【００２６】
斯かる認識処理動作が終了すると、光学式ピックアップ２をディスク１上の記録動作を開始する位置まで移動させるとともにバッファ用ＲＡＭ１１への記録信号の書き込み動作が行われる。前記バッファ用ＲＡＭ１１への信号の書き込み動作が行われと、該バッファ用ＲＡＭ１１に記憶される信号の記憶量が次第に上昇することになる。その記憶量が所定量を越えると、前記バッファ用ＲＡＭ１１に記憶されている信号を読み出し、その読み出された信号を前記信号記録用回路９に入力せしめる。その結果、前記信号記録用回路９によるレーザー駆動回路１０の制御動作が行われ、ディスク１に信号が記録されることになる。
【００２７】
斯かる動作によってディスク１への信号の記録動作は行われるが、前記バッファ用ＲＡＭ１１への信号の書き込み動作は、該バッファ用ＲＡＭ１１からの信号の読み出し動作に応じて行われるように構成されている。そして、記録動作が正常に行われている状態では、ディスク１への信号の記録動作が行われる毎にその位置を示すアドレス、即ち最終アドレスをメモリー回路に記憶する動作が行われている。
【００２８】
そして、ディスク１への信号の記録動作を行っている状態において、コンピューター装置７より出力されてバッファ用ＲＡＭ１１に書き込まれる信号の量がディスク１に記録されるために読み出される信号の量に比較して少なくなると、該バッファ用ＲＡＭ１１に記憶されている記録信号の量が次第に減少することになる。前記バッファ用ＲＡＭ１１に記憶されている記録信号の量が減少して所定の量になると、即ち、バッファアンダーラン状態になると、ディスク１への記録動作を中断させる制御動作が行われる。斯かる中断動作が行われると、前記バッファ用ＲＡＭ１１からの信号の読み出し動作も中断されることになる。
【００２９】
斯かる状態において、コンピューター装置７より記録信号が出力されると、その記録信号を前記バッファ用ＲＡＭ１１に書き込む制御動作が行われることになり、該バッファ用ＲＡＭ１１に記憶されている記録信号の量が次第に増加することになる。前記バッファ用ＲＡＭ１１に記憶されている記録信号の量が増加し、その量が所定量に達すると、記録動作を再開させるための制御動作が行われる。
【００３０】
斯かる記録再開動作は、まず、光学式ピックアップ２を記録動作を開始させる位置、即ち記録動作を中断した位置より後退させた位置に変位させた後、その位置より再生動作を行うことより行われる。記録を中断させた位置は、正常記録動作が行われる毎にメモリー回路に記憶されている最終アドレスより容易に認知することが出来るとともに光学式ピックアップ２を所望の位置に移動させることが出来る。
【００３１】
斯かる再生動作によって再生される信号は、記録動作を中断させる直前に記録されていた信号であり、斯かる再生信号と前記バッファ用ＲＡＭ１１に記憶保持されている信号との比較動作を行う。斯かる比較動作によって、両者が同一信号であると判定された場合には、前記バッファ用ＲＡＭ１１に記憶されているとともに前述した比較動作の対象となった信号に続けて記憶されている信号の読み出し動作が行われるとともにその信号が信号記録用回路９に入力されてディスク１への信号の記録動作が開始される。前述した動作によって信号のディスク１への記録中断動作及び記録再開動作を行うことが出来、斯かる動作を行うことによってディスク１には、記録動作を中断させたにも関わらず信号を連続して記録する動作、所謂シームレス記録動作を行うことが出来る。
【００３２】
以上に説明したように本実施例における信号の記録動作は行われるが、次に本発明の要旨について説明する。
【００３３】
前記バッファ用ＲＡＭ１１に記憶されている信号の量が不足すると、即ちバッファアンダーラン状態になると、前述したように記録中断動作及び記録再開動作が行われるが、記録再開のための記録再開動作は、ディスク１に記録されている信号の再生動作に基づいて行われる。本発明は、この再生動作によって再生される信号、即ちディスク１に記録中断前に記録された信号の再生を行ったとき、その再生された信号の記録特性を検出するように構成されている。
【００３４】
斯かる記録特性の検出動作は、再生される信号からジッターや所定の記録特性の変化を検出することによって行うことが出来る。そして、検出された記録特性の変化に基づいて、記録中断前に記録された信号の記録特性を検出することが出来、この検出された特性により記録動作が正常に行われているか、また、その記録品位は良好かとの判断を行うことが出来る。
【００３５】
斯かる記録特性の検出動作によって記録特性が信号の再生動作を行うことが出来ない程悪いと判断された場合には、記録動作を中断させる動作が行われる。そして、記録特性が最適な特性よりも悪化していると判定された場合には、記録動作を行うためのレーザー出力等の記録条件を変更させた後記録再開動作を行うように構成されている。斯かる記録条件の変更動作を行うことによって、記録中断再開動作によって記録される信号の連続性を良好に維持することが出来る。
【００３６】
以上に説明した動作は、バッファアンダーランの発生に伴う記録制御方法であり、次に記録速度を変更する場合の動作について説明する。斯かる記録速度の変更動作は、ディスク１の内周側において線速度一定の状態にて記録動作を行っているとき、記録位置がより高速の線速度一定の状態にて記録動作を行うことが出来る位置まで移動したときに行われる。
【００３７】
斯かる線速度の切換動作は、例えば規定の線速度の１６倍より１８倍の線速度に変更する場合に行われるが、斯かる切換動作を行う場合には、記録動作を一旦中断させた後記録動作を再開させるという動作を行う必要がある。即ち、１６倍の線速度一定の状態にて記録動作を行っているときに記録動作を一旦中断し、ディスク１の回転速度が１８倍の線速度一定の状態にて回転駆動される状態になったとき記録動作を再開させるための制御動作が行われる。斯かる記録中断再開動作は、前述したバッファアンダーランの発生に伴う記録制御方法を利用することによって行うことが出来る。
【００３８】
このようにして、記録線速度を変更するための記録制御動作は行われるが、斯かる場合においてもディスク１に記録中断前に記録されている信号の記録特性を再生される信号より検出する動作が行われるが、斯かる記録特性の検出動作は、記録中断時の線速度にて行われる、即ち記録線速度の変更を行う前に行われる。そして、斯かる記録特性の検出動作によって記録特性が信号の再生動作を行うことが出来ない程悪いと判断された場合には、記録動作を終了させる動作が行われる。
【００３９】
また、記録特性が最適な特性よりも悪化していると判定された場合には、記録動作を行うためのレーザー出力等の記録条件を変更させた後記録再開動作を行うように構成されている。斯かる記録条件の変更動作を行うことによって、記録中断再開動作によって記録される信号の連続性を良好に維持することが出来る。そして、検出された記録特性の良否の程度に基づいて記録再開時の記録速度を設定するように構成されている。
【００４０】
即ち、検出された記録特性が所定の特性より良いと判定された場合には、中断時の記録線速度よりも一段高速の線速度に変更するための制御動作が行われる。そして、検出された記録特性が所定の特性であると判定された場合には、中断時の記録線速度と同一の線速度による記録動作を再開させるための制御動作が行われる。また、検出された記録特性が所定の特性より悪いと判定された場合には、中断時の記録線速度よりも一段低速の線速度に変更するための制御動作が行われる。
【００４１】
前述したように検出される記録特性に応じて記録再開時の記録速度の設定動作が行われるが、記録特性の良否を判定する場合の比較対象は前もって設定されている記録特性とすることが出来るが、前回の記録速度の変更時に検出された記録特性データを利用することも出来る。この記録特性データは、記録動作中に得られたデータであるため、このデータを使用すれば、最も現状に近い記録特性の変化を検出することが出来るので、正確な記録特性の検出を行うことが出来る。
【００４４】
【発明の効果】
本発明は、記録線速度の変更を行うとき、ディスクへの記録動作を中断させるとともに記録中断前にディスク記録された信号を再生させ、その再生された信号と記録信号が一時的に記憶されるバッファ用ＲＡＭに記憶されている信号とを比較し両者が同一信号であると判定された場合に記録動作を再開させるように構成されている光ディスク記録再生装置において、記録を再開させる前に再生される信号により記録特性を検出し、検出された記録特性の良否を判定して記録再開時の記録線速度を設定するようにしたので、記録される信号の記録品位が確保される適切な記録速度にて記録動作を再開させることが出来る。
【００４５】
また、本発明は、記録中断時の線速度にて再生される再生信号に基づいて検出された記録特性に応じて記録再開時の記録線速度を設定するようにしたので、記録速度の変更を行わない場合には、無駄な速度変更動作を行う必要が無いという利点を有している。
【００４６】
そして、本発明は、検出された記録特性が所定の特性より悪いとき、記録線速度を下げて記録動作を再開させるようにしたので、記録特性の悪化を防ぐことが出来る。
【００４７】
また、本発明は、検出された記録特性が再生不可能な特性のとき、記録動作を終了させるようにしたので、無駄な記録動作を速やかに終了させることが出来るという利点を有している。
【００４８】
そして、記録を再開させる前に再生される信号により検出された記録特性データと前回の記録線速度変更時に検出された記録特性データとを比較し、記録特性の変化を検出することによって記録特性が良くなっているか否かを判定するようにしたので、記録動作中に得られる現状に近い記録特性の変化が検出出来、記録再開時の記録線速度を適切に設定することが出来る。
【図面の簡単な説明】
【図１】本発明に係る光ディスク記録再生装置の一実施例を示すブロック回路図である。
【符号の説明】
１        ディスク
２        光学式ピックアップ
４        ピックアップ制御回路
５        デジタル信号処理回路
７        コンピューター装置
８        システム制御回路
１１        バッファ用ＲＡＭ
１２        スピンドルモーター駆動回路
【図１】
0003778806.tif 000002